(57)【特許請求の範囲】
【請求項１】
後方部に軸芯へ向かって集束する膨出曲面を有し、且つ後方部が前方部より重く、平面上に横たえた時に前方部が後方部の重みで平面に対し膨出曲面を接触点として浮き上がる状態となる筆記具又は入力ペン用の軸筒において、前記軸筒の外面に、該軸筒を平面上に横たえた状態で当該平面に常時接して該軸筒の前方部の浮き上がりを防止するための凸部を設けたことを特徴とする筆記具又は入力ペン用の軸筒。
【請求項２】
前記軸筒が後方部において、軸筒の軸芯と直交し、且つ凸部と軸芯とを結ぶ仮想線に直交する突出片を設けた形状であることを特徴とする請求項１に記載の筆記具又は入力ペン用の軸筒。
【発明の詳細な説明】
【０００１】
【発明の属する技術分野】
本発明は、筆記具又は入力ペン用の軸筒に関する。
【０００２】
【従来の技術】
近年、筆記具や携帯情報端末の入力ペン等においては、軸筒の後端部に、例えばバーコード読み取り機、筆圧センサー、感圧センサー等の電子部材を取付けて、その利便性を向上させることが望まれている。また例えば、Ｓ極面を緑にＮ極面を白に着色した磁性体を降伏値を有する液体に分散した分散液体を透明な表面板及び裏面板間に封入したいわゆる磁気パネルに対して、軸筒の先端に取付けた筆記用磁石を近づけることにより筆記線の表示を行う筆記具いわゆる磁気ペンにおいては、軸筒の後端部に、筆記具用磁石の先端の磁極と異極の後端を持つ巾広の消去用磁石を取付けて、書き消しの作業性を容易にすることが望まれている。
【０００３】
【発明が解決しようとする課題】
ところで、最近では、筆記具や入力ペン等の形状として、軸筒の長手方向に沿った外面形状に曲面形状を多用したものが見受けられる。この様な形状の筆記具や入力ペン等の軸筒の後端部に、前述したバーコード読み取り機や磁石等の重い部材を取付けた場合には、軸筒を机上等の平面上に横たえた際に、机上面に曲面部が接触して軸筒が揺動してしまったり、特に、軸筒の後方部に軸芯へ向かって集束する膨出曲面を形成したものでは、図３に示すように、軸筒の前方部が後方部の重みで机上面に対して膨出曲面を接触点として浮き上がり、不安定となり、わずかな軸筒への衝撃で軸筒は回転して転がり、机上から落下してしまうという問題があった。
【０００４】
本発明はこうした事実に鑑み、後方部に軸芯へ向かって集束する膨出曲面を有し、後端部が前端部より重い軸筒であっても、平面上に横たえた時に前方部が後方部の重みで平面に対して膨出曲面を接触点として浮き上がらない筆記具又は入力ペン用の軸筒を提案することを目的とする。
【０００５】
【課題を解決するための手段】
次に、前記課題の解決するために案出した本発明を説明する。
「１．後方部に軸芯へ向かって集束する膨出曲面を有し、且つ後方部が前方部より重く、平面上に横たえた時に前方部が後方部の重みで平面に対し膨出曲面を接触点として浮き上がる状態となる筆記具又は入力ペン用の軸筒において、前記軸筒の外面に、該軸筒を平面上に横たえた状態で当該平面に常時接して該軸筒の前方部の浮き上がりを防止するための凸部を設けたことを特徴とする。
２．前記軸筒が後方部において、軸筒の軸芯と直交し、且つ凸部と軸芯とを結ぶ仮想線に直交する突出片を設けた形状であることを特徴とする。」
【０００６】
本発明は、軸筒の外面に凸部を設けることにより、軸筒を平面上に横たえた時に、後方部の重みで膨出曲面が平面に接触して軸筒が後方に傾いて、前方部が浮き上がることを防ぐものであるが、本発明における凸部は、膨出曲面が平面と接触することを防ぐか、接触しても軸筒の後端部側への揺動を防止するものであれば良く、軸筒を横たえた時に凸部が平面に接触しなければならないという限定を除くと、形状や、大きさや、設ける位置等は特に限定されない。
【０００７】
また、軸筒が後方部において、軸筒の軸芯と直交し、且つ凸部と軸芯とを結ぶ仮想線に直交する突出片を設けるのは、軸筒の外形が丸く転がりやすいものであっても、突出片が支えとなり軸筒の回転を防ぐので、凸部が平面に対して転がって逃げてしまうことなく接触し、軸筒の前方部の浮き上がりを防止することができるためである。
【０００８】
【発明の実施の形態】
次に、本発明を理解し易くするために図を用いて説明を行なう。尚、本実施の形態においては、磁気パネルに書き消しを行う筆記用磁石と消去用磁石とを備えた磁気ペンの軸筒について説明を行うが、本発明は磁気ペンの軸筒に限定されるものではなく。ボールペンやシャープペンシル、あるいは携帯情報端末の入力ペン等に用いることが可能である。尚、本実施の形態においては、磁気ペンの筆記用磁石がある方を前方と表現し、消去用磁石がある方を後方と表現する。同じ部材、同じ箇所を示す場合は同じ符号を付してある。
【０００９】
本実施の形態の磁気ペンの軸筒を、図１及び図２を用いて説明する。図１は本実施の形態の磁気ペンの姿図で、図２は磁気ペンを磁気パネルの表面板上に横たえた時の状態を示す断面図である。磁気ペン１は、軸筒２の前方部３に受部材４を介して小さな円柱体の磁石からなる筆記用磁石５を装着してある。また、軸筒２の後方部６には、後方へ向かって拡開する突出片７を連設してあり、突出片７の後端開口部７ａには、巾広の直方体の磁石からなる消去用磁石８を装着してある。尚、筆記用磁石５と消去用磁石８は、図２に示す磁気パネル１０に書き消しを行うためのもので、例えば筆記用磁石５は前端５ａをＳ極とし、消去用磁石８は後端８ａをＮ極としてある。
【００１０】
軸筒２は、前方部３から後方部６に形成した突出片７の付け根部７ｂへ向かって漸次拡径する円錐部２ａを有し、円錐部２ａの最大径部２ｂから後方は軸芯へ向かって集束する膨出曲面２ｃとしてある。また、膨出曲面２ｂの前方の最大径部２ｂの近傍には、半球形状の凸部９を形成してある。
【００１１】
次に、図２を用いて磁気パネル１０を簡単に説明する。尚、図２の磁気パネル１０は、パネル構造を模式的に表したものであり、縮尺比率は実際のものとは異なるものである。磁気パネル１０は、Ｓ極面を緑にＮ極面を白に着色した磁性体１１を、降伏値を有する液体１２に分散して分散液体１３としたものを、透明な表面板１４と裏面板１５及び板間に設けた隔壁１６の間に封入してある。また、図において磁性体１１は、表面板１４側からＮ極の磁力を与えて、Ｓ極面を表面板１４側に配置させており、磁気パネル１０の表面板１４側を緑一色の状態としてある。
【００１２】
また、図示はしないが、この緑一色の状態の表面板１４に、磁気ペン１の筆記用磁石５の前端５ａ（Ｓ極）を近づけて筆記を行うことにより、磁性体１１が反転して、白のＮ極面が表面板１４側に現われ、緑の背景に白の筆記線が描かれる。また、白の筆記線に対し、磁気ペン１の消去用磁石８の後端８ａ（Ｎ極）を近づけることにより、磁性体１１が再反転して、緑のＳ極面が表面板１４側に現われて再び緑一色のパネル面となる。この様に、消去用磁石８は消しゴム的な使い方をするため、表面板１４との接触面積が大きいことが好ましく、後端８ａを巾広にしてあるため、体積が大きく重たいものとなっている。
【００１３】
次に、本実施の形態の磁気ペンを平面上に横たえた時の動作説明を行う。尚、図３は、本実施の形態の磁気ペンの動作を理解し易くするための比較図で、膨出曲面の前方に凸部がない点を除くと本実施の形態の磁気ペン１と同じである。図３に示す磁気ペン１０１は、表面板１４の上に横たえた時に（破線の状態）、消去用磁石の重みで軸筒２が後方へ倒れ込み、表面板１４に対して膨出曲面２ｃを接触点として前方部が浮き上がった不安定な状態となっている（実線の状態）。これに対し、本実施の形態の磁気ペン１は、図２に示す通り、膨出曲面２ｃの前方に凸部９があるので、膨出曲面２ｃの表面板１４への接触を防止し、軸筒２が消去用磁石８側へ揺動せず、前方部３の浮き上がりを防いでいる。さらに、本実施の形態では突出片７を、軸筒２の軸芯に対して直交させ、且つ凸部９と軸芯とを結ぶ仮想線(図示せず）に直交させて形成したので、軸筒２が軸の周方向に回転しそうになっても、突出片７が支えて軸筒の回転を防ぎ、表面板１４に対して凸部９を確実に接触させている。
【００１４】
【発明の効果】
本発明は以上のような構造なので、後方部に軸芯へ向かって集束する膨出曲面を有し、後端部が前端部より重い軸筒であっても、平面上に横たえた時に前方部が浮き上がることがないものとなった。
【図面の簡単な説明】
【図１】  本発明の軸筒の実施の形態を示す磁気ペンの姿図である。
【図２】  磁気ペンを磁気パネルの表面板上に横たえた時の状態を示す断面図である。
【図３】  本実施の形態の磁気ペンの動作を理解し易くするための比較図である。
【符号の説明】
１…磁気ペン、２…軸筒、２ａ…円錐部、２ｂ…最大径部、２ｃ…膨出曲面、
３…前方部、４…受部材、５…筆記用磁石、５ａ…前端、
６…後方部、７…突出片、８…消去用磁石、８ａ…後端、９…凸部。
【図１】
0003929297.tif 000002
【図２】
0003929297.tif 000003
【図３】
0003929297.tif 000004